(57)【要約】【課題】濾過装置の濾過膜に付着した付着物を簡単に短時間で除去することができ、高ＳＳ濃度汚水でも濾過法による汚水処理が実行可能な汚水処理における濾過膜に付着する付着物の除去方法を提供する。【解決手段】有機性汚泥を含有する汚水を貯留する汚水処理槽内に濾過膜を備えた濾過装置が配置され、当該汚水を濾過膜により濾過して濾過装置内に導入し、この濾過装置内の処理水を外部に排水する汚水処理において、汚水処理槽への汚水の供給を停止（ステップＳ２）して薬液を濾過装置内に一挙に送り込む工程（ステップＳ３）、この状態で所定の時間静置する工程（ステップＳ４）、汚水処理槽の薬液を排出（ステップＳ５）した後、汚水処理槽内の薬液を洗浄（ステップＳ６）する工程からなる。【選択図】　図２
2004033873.tif 000002
【特許請求の範囲】
【請求項１】
有機性汚泥を含有する汚水を貯留する汚水処理槽内に濾過膜を備えた濾過装置が配置され、当該汚水を濾過膜により濾過して濾過装置内に導入し、この濾過装置内の処理水を外部に排水する汚水処理において、
汚水処理槽への汚水の供給を停止して薬液を濾過装置内に一挙に送り込む工程、
この状態で所定の時間静置する工程、
汚水処理槽の薬液を排出した後、汚水処理槽内の薬液を洗浄する工程からなることを特徴とする汚水処理における濾過膜に付着する付着物の除去方法。
【発明の詳細な説明】
【０００１】
【発明の属する技術分野】
本発明は、汚水処理、特に高汚染汚水の浄化時に発生する有機性汚泥（以下単にＳＳという。）の分離濃縮に係るもので、濾過膜を用いた濾過法において当該濾過膜に付着するＳＳ（付着物）の除去方法に関するものである。
【０００２】
【従来の技術】
従来、汚水からＳＳを分離濃縮する手法としては、沈殿法が一般的に普及している。
【０００３】
しかし、沈殿法では、ＳＳが浮上して沈殿しないケースがあり、この時はＳＳは沈殿せず放流水と一緒に流出してしまう欠点があった。そこで、ＳＳの流出を解消する手法としてＳＳ浮上時でもこのＳＳを分離濃縮可能な濾過法（所謂、液中浸漬型濾過法）がある。
【０００４】
この濾過法によれば前記沈殿法のごとく広大な面積を必要とする沈殿法を要することなく、そして何よりもＳＳの浮き上り発生時でも安定した状況下で分離可能である。
【０００５】
上記濾過法は、汚水処理槽の汚水中に濾過装置を浸して配置し、この濾過装置の濾過膜にＳＳを含有する汚水を通すことにより、当該ＳＳを分離する手法である。この濾過法によれば、長期的な使用によりＳＳが濾過膜に付着して目詰まりが生じ濾過能力が低下するため、濾過膜から付着物であるＳＳを定期的に除去する必要がある。
【０００６】
ところで、濾過膜からのＳＳの除去方法としては、従来では以下ような手順により行われている。
【０００７】
まず、長期的な運転により濾過膜にＳＳが付着堆積し、当該濾過膜の濾過能力が低下すると、まず▲１▼汚水処理槽から濾過装置を外部に取出す。▲２▼取出した濾過装置を薬液槽に浸け、その濾過膜に付着したＳＳを洗浄して除去する（万一、これでも洗浄が不充分な場合は、薬液槽から濾過装置を取出して手洗浄を行う。）▲３▼薬剤でＳＳを除去した濾過膜を水等の洗浄水で洗浄し、薬液を完全除去する。▲４▼この後、濾過装置を再び汚水処理槽にセットし、当該汚水処理槽に汚水を供給して運転を再開する。
【０００８】
【発明が解決しようとする課題】
しかしながら、上記従来のように濾過装置の濾過膜からＳＳを除去する方法では、多数の作業員によって手間と時間をかけて行わなければならず、作業者の負担が大きいという問題があり、前記濾過法による汚水処理は採用が困難であった。
【０００９】
また、昨今、濾過膜自体の改良、使用方法の改善等について進展が見られるが、ＳＳ濃度１５０００〜２００００ｐｐｍといった高濃度ＳＳを含む汚水の処理には、目づまりした濾過膜の性能回復（再生）に有効な手法が確立されておらず、現状では実行不可能であった。
【００１０】
本発明は、上記問題点に鑑みてなされたもので、その目的とするところは、濾過装置の濾過膜に付着した付着物を簡単に短時間で除去することができ、高ＳＳ濃度汚水でも濾過法による汚水処理が実行可能な汚水処理における濾過膜に付着する付着物の除去方法を提供することにある。
【００１１】
【課題を解決するための手段】
請求項１に係る発明の汚水処理における濾過膜に付着する付着物の除去方法は、有機性汚泥を含有する汚水を貯留する汚水処理槽内に濾過膜を備えた濾過装置が配置され、当該汚水を濾過膜により濾過して濾過装置内に導入し、この濾過装置内の処理水を外部に排水する汚水処理において、汚水処理槽への汚水の供給を停止して薬液を濾過装置内に一挙に送り込む工程、この状態で所定の時間静置する工程、汚水処理槽の薬液を排出した後、汚水処理槽内の薬液を洗浄する工程からなることを特徴とする。
【００１２】
【発明の実施の形態】
以下、本発明の実施の形態を図面を参照して説明する。
【００１３】
図１は、本発明の汚水処理における濾過膜に付着する付着物の除去方法を実施する処理装置の概略構成を示している。
【００１４】
図１において、１はＳＳを含有する汚水を貯留する汚水処理槽であり、汚水処理槽１の上部には上記汚水を供給する供給管１１が連結されている。
【００１５】
汚水処理槽１内には周面に濾過膜２１が設けられた濾過装置２が配置されている。濾過装置２は、連通管２２を通じて同じく汚水処理槽１内に配置された処理水吸引槽３に連通されており、この処理水吸引槽３内に吸引ポンプ４を備えた排水管４１の一端が挿入配置されている。
【００１６】
従って、吸引ポンプ４を作動させることで、この吸引作用により汚水処理槽１内の汚水が濾過装置２内に濾過膜２１を通じて吸引され、当該濾過膜２１の濾過作用により汚水中に含有するＳＳが濾過されるとともに、ＳＳが濾過されて濾過装置２内に吸引された処理水が連通管２２により処理水吸引槽３に導かれた後、排水管４１を通じて外部に放流される。
【００１７】
一方、前記濾過装置２には、薬液をその内部に供給する薬液供給管５の一端が挿入配置されている。薬液供給管５の他端は薬液を貯留した図示しない薬液貯留槽に連通されており、当該薬液供給管５に介装された図示しないポンプにより薬液貯留槽の薬液を濾過装置２内に供給するようになされている。薬液としては一般的にはアルカリ性次亜塩素ナトリウムなどが使用されている。
【００１８】
また、前記汚水処理槽１には、薬液の洗浄を行うための水などの洗浄水を供給する洗浄管６が連結されるとともに、汚水処理槽１内の薬剤や洗浄水などを外部に排出する排出管７が連結されている。
【００１９】
このように構成された処理装置では、供給管１１を通じて汚水処理槽１に貯留した汚水を吸引ポンプ４の作動により濾過装置２の内部に濾過膜２１で濾過しながら導入し、濾過した処理水を連通管２２、処理水吸引槽３、排水管４１を通じて排水することで、汚水処理を行っている。
【００２０】
そして、このような汚水処理によって濾過膜２１の外周面にＳＳが付着して濾過能力が低下すると、本発明の除去方法によりＳＳの除去を行う。
【００２１】
具体的には、図２に示すように、まずステップＳ１で濾過膜２１の濾過能力が低下すると、▲１▼ステップＳ２で汚水の供給を停止する。次に、▲２▼ステップＳ３で薬液供給管５を通じて薬液を濾過装置２内に一挙に送り込む。これにより薬液が濾過膜２１の内側から外側に一気に流れ、この逆洗作用によって濾過膜２１の外周面に付着したＳＳを当該外周面から分離させる。続いて▲３▼ステップＳ４ではこの状態で所定の時間（例えば約３０分〜６０分程度）静置しておく。この後▲４▼ステップＳ５で汚水処理槽１内の薬液を汚水とともに排出管７を通じて排出する。次に▲５▼ステップＳ６で洗浄管６を通じて洗浄水を汚水処理槽１内に導入し、当該槽１内の薬液を綺麗に洗浄する。
【００２２】
これにより、濾過膜２１からのＳＳの除去が完了して濾過能力を回復させることができる。従って、ステップＳ７で汚水を汚水処理槽１に供給して運転を再開し、汚水処理を行うことができる。
【００２３】
このように付着物の除去を行うことで、従来のような濾過装置の取出し分解などや濾過膜の手洗浄等の必要もなく、汚水処理槽にセットしたままで単にバルブの切替えや計器の監視等の非常に簡単な操作で濾過膜２１の能力回復を行え、除去作業に必要な時間を大幅に短縮することができる。また、除去作業の自動化も可能である。
【００２４】
さらに、広大な沈殿地の用地確保も必要なく、装置建設費の削減も可能で、その効果は、非常に大きい。
【００２５】
また、後述する実施例中に記述した如く、濾過膜２１の寿命の大巾な延長も実現可能になって、高ＳＳ濃度汚水のＳＳ分離に画期的な進歩をもたらしたといえる。
【００２６】
【実施例】
汚水中の汚泥濃度が１７０００ｐｐｍ（平均）であり、汚水処理槽への汚水供給量が２００ｍ３　／日で処理している処理装置について、本発明の除去方法と従来の除去方法とを比較する。
【００２７】
本発明の方法では、ＳＳの除去に作業員１名により約６０分の時間を要したのに対して、従来法では作業員３名により約１８０分時間を要した。つまり、本発明では作業員並びに作業時間が従来法に比べてそれぞれ３／１になった。
【００２８】
また、従来法によると２年程度で濾過膜の交換が必要とされるのに対して、本発明では濾過膜の性能劣化が認められないので１０年程度の使用は可能かと予想される。これは、従来法では濾過膜の透水性回復が不完全なため、洗浄により濾過膜の再生を重ねるごとに目づまりが進行してゆくことによると思われる。
【００２９】
【発明の効果】
以上述べたように、本発明の汚水処理における濾過膜に付着する付着物の除去方法によれば、汚水処理槽への汚水の供給を停止して薬液を濾過装置内に一挙に送り込み、この状態で所定の時間静置した後、汚水処理槽の薬液を排出して当該汚水処理槽内の薬液を洗浄することで、従来のような濾過装置の取出し分解などや膜の手洗浄等の必要もなく、汚水処理槽にセットしたままで非常に簡単な作業で濾過膜の能力回復を行え、除去作業に必要な時間を大幅に短縮することができる。また、除去作業の自動化も可能である。
【図面の簡単な説明】
【図１】汚水を処理する処理装置の構成を示す概略図である。
【図２】本発明の汚水処理における濾過膜に付着する付着物の除去方法を説明するためのフロー図である。
【符号の説明】
１　汚水処理槽
１１　供給管
２　濾過装置
２１　濾過膜
４　排水管
５　薬液供給管
６　洗浄管
７　排出管
【図１】
2004033873.tif 000003
【図２】
2004033873.tif 000004